(57)【要約】【課題】  表示手段と操作手段の大きさに制約を受けないデジタル型保護制御装置の表示出力装置を提供することを目的とする。【解決手段】  デジタル型保護制御装置の内部の情報を格納する装置内情報（メモリ）１０と、音入力部と複数の音認識パターンを有し音入力部の入力音と音認識パターンを照合する音認識手段２０と、音認識手段２０の照合に基づいて装置内情報１０の画面情報を選択する画面情報選択手段１２と、画面情報選択手段１２によって選択された画面情報を表示出力する表示手段（ＬＣＤ表示器等）１５を備えている。すなわち、複数の押しボタンで構成される操作手段に代えて、音認識手段２０を備えていることを特徴としている。【選択図】        図１
2007014113.tif 000002
【特許請求の範囲】
【請求項１】
デジタル型保護制御装置の内部の情報を格納する装置内情報と、音入力部と複数の音認識パターンを有し上記音入力部の入力音と上記音認識パターンを照合する音認識手段と、上記音認識手段の照合に基づいて上記装置内情報の画面情報を選択する画面情報選択手段と、上記画面情報選択手段によって選択された画面情報を表示出力する表示手段とを備えたことを特徴とするデジタル型保護制御装置の表示出力装置。
【請求項２】
上記音認識手段の音認識パターンは３パターン有り、それぞれ、上記表示手段における画面情報表示の開始、次の画面情報への遷移、及び画面情報表示の終了を表すことを特徴とする請求項１に記載のデジタル型保護制御装置の表示出力装置。
【請求項３】
上記音認識手段の音認識パターンは３パターン有り、それぞれ、所定時間内の単発音、上記所定時間内の２回連続の単発音、及び上記所定時間以上の音に対応していることを特徴とする請求項１に記載のデジタル型保護制御装置の表示出力装置。
【請求項４】
デジタル型保護制御装置の内部の情報を格納する装置内情報と、１個の接触操作部と複数の認識パターンを有し上記接触操作部による操作と上記認識パターンを照合する操作手段と、上記操作手段の照合に基づいて上記装置内情報の画面情報を選択する画面情報選択手段と、上記画面情報選択手段によって選択された画面情報を表示出力する表示手段とを備えたことを特徴とするデジタル型保護制御装置の表示出力装置。
【請求項５】
上記操作手段の認識パターンは３パターン有り、それぞれ、上記表示手段における画面情報表示の開始、次の画面情報への遷移、及び画面情報表示の終了を表すことを特徴とする請求項４に記載のデジタル型保護制御装置の表示出力装置。
【請求項６】
上記操作手段の認識パターンは３パターン有り、それぞれ、所定時間内の上記接触操作部の１回の操作、上記所定時間内の上記接触操作部の２回の操作、及び上記所定時間以上の上記接触操作部の操作に対応していることを特徴とする請求項４に記載のデジタル型保護制御装置の表示出力装置。
【請求項７】
上記音認識手段又は上記操作手段により、上記音入力部の入力音又は上記接触操作部による操作と２進数パターンとを照合し、上記デジタル型保護制御装置へのアクセスを判断することを特徴とする請求項１又は請求項４に記載のデジタル型保護制御装置の表示出力装置。
【請求項８】
デジタル型保護制御装置の内部の情報を格納する装置内情報と、音認識手段又は操作手段と、上記音認識手段又は操作手段により上記装置内情報の画面情報を選択する画面情報選択手段と、上記画面情報選択手段によって選択された画面情報を表示出力する表示手段を備え、上記装置内情報と、上記画面情報選択手段と、上記表示手段とを上記デジタル型保護制御装置側に設置すると共に、上記音認識手段又は操作手段を上記デジタル型保護制御装置から分離して別置き操作部として配置し、上記デジタル型保護制御装置と上記別置き操作部とは通信手段を介して情報の送受信を行うことを特徴とするデジタル型保護制御装置の表示出力装置。
【請求項９】
デジタル型保護制御装置の内部の情報を記憶する装置内情報記憶部と、音認識手段又は操作手段と、上記音認識手段又は操作手段により上記装置内情報の画面情報を選択する画面情報選択手段と、上記画面情報選択手段によって選択された画面情報を表示出力する第２表示手段を備えた別置き操作表示部を上記デジタル型保護制御装置から分離して配置し、上記デジタル型保護制御装置と上記別置き操作部とは通信手段を介して情報の送受信を行うことを特徴とするデジタル型保護制御装置の表示出力装置。
【請求項１０】
上記別置き操作表示部に操作者コードを入力する操作者コード入力部を備え、上記デジタル保護制御装置側に上記操作者コードをもとに上記別置き操作表示部に送信する情報を制限することができる操作者認識手段を備えたことを特徴とする請求項９に記載のデジタル型保護制御装置の表示出力装置。
【請求項１１】
デジタル型保護制御装置の内部の情報である装置内情報をデジタル型保護制御装置から通信手段を介して受信し記憶するメモリ手段と、上記メモリ情報を展開して表示するＰＣ装置を備えたことを特徴とするデジタル型保護制御装置の表示出力装置。
【発明の詳細な説明】
【技術分野】
【０００１】
この発明は、電力系統のデジタル型保護制御装置の内部情報を外部に表示・出力させるための表示出力装置に関するものである。
【背景技術】
【０００２】
電力系統の保護、制御装置として、多数の保護、制御対象に関する保護、制御が可能で、かつ装置を小型化できるデジタル型保護制御装置があり、具体的には、系統事故判定を行うデジタルリレー、系統事故を標定するフォールトロケータ、系統の安定化を行う系統安定化装置等がある。
【０００３】
従来、電力系統の電気量を入力し、デジタルデータに変換して電力系統の保護制御を行うデジタル型保護制御装置において、装置内情報を表示する表示手段と、表示手段に表示される画面情報を、装置内外に発生する事象に対応して自動選択する事象起動画面選択手段を設けたものがあった。そして、装置内情報の表示出力装置として、例えば、装置正面に集中した形態の表示部で構成されており、その表示内容は、各種選択キー操作により選択表示されるようになっていた（例えば、特許文献１参照）。
【０００４】
【特許文献１】特開平５−１６１２４３号公報（図１、図８および図９参照）
【発明の開示】
【発明が解決しようとする課題】
【０００５】
この発明は、表示手段と操作手段の大きさに制約を受けないデジタル型保護制御装置の表示出力装置を提供することを目的とする。
【０００６】
また、デジタル型保護制御装置にアクセスする際のパスワードの入力についても、表示手段と操作手段の大きさに制約を受けないようにすることを目的とする。
【課題を解決するための手段】
【０００７】
この発明に係るデジタル型保護制御装置の表示出力装置は、デジタル型保護制御装置の内部の情報を格納する装置内情報と、音入力部と複数の音認識パターンを有し音入力部の入力音と音認識パターンを照合する音認識手段と、音認識手段の照合に基づいて装置内情報の画面情報を選択する画面情報選択手段と、画面情報選択手段によって選択された画面情報を表示出力する表示手段とを備えたことを特徴とする。
【０００８】
また、この発明に係るデジタル型保護制御装置の表示出力装置は、デジタル型保護制御装置の内部の情報を格納する装置内情報と、１個の接触操作部と複数の認識パターンを有し接触操作部による操作と認識パターンを照合する操作手段と、操作手段の照合に基づいて装置内情報の画面情報を選択する画面情報選択手段と、画面情報選択手段によって選択された画面情報を表示出力する表示手段とを備えたことを特徴とする。
【０００９】
また、この発明に係るデジタル型保護制御装置の表示出力装置は、デジタル型保護制御装置の内部の情報を格納する装置内情報と、音認識手段又は操作手段と、音認識手段又は操作手段により装置内情報の画面情報を選択する画面情報選択手段と、画面情報選択手段によって選択された画面情報を表示出力する表示手段を備え、装置内情報と、画面情報選択手段と、表示手段とをデジタル型保護制御装置側に設置すると共に、音認識手段又は操作手段をデジタル型保護制御装置から分離して別置き操作部として配置し、デジタル型保護制御装置と別置き操作部とは通信手段を介して情報の送受信を行うことを特徴とする。
【００１０】
また、この発明に係るデジタル型保護制御装置の表示出力装置は、デジタル型保護制御装置の内部の情報を記憶する装置内情報記憶部と、音認識手段又は操作手段と、音認識手段又は操作手段により装置内情報の画面情報を選択する画面情報選択手段と、画面情報選択手段によって選択された画面情報を表示出力する第２表示手段を備えた別置き操作表示部を上記デジタル型保護制御装置から分離して配置し、デジタル型保護制御装置と別置き操作部とは通信手段を介して情報の送受信を行うことを特徴とする。
【００１１】
また、この発明に係るデジタル型保護制御装置の表示出力装置は、デジタル型保護制御装置の内部の情報である装置内情報をデジタル型保護制御装置から通信手段を介して受信し記憶するメモリ手段と、上記メモリ情報を展開して表示するＰＣ装置を備えたことを特徴とする。
【発明の効果】
【００１２】
この発明によれば、デジタル型保護制御装置の内部の情報を格納する装置内情報と、音入力部と複数の音認識パターンを有し音入力部の入力音と音認識パターンを照合する音認識手段と、音認識手段２０の照合に基づいて装置内情報の画面情報を選択する画面情報選択手段と、画面情報選択手段によって選択された画面情報を表示出力する表示手段を備えることにより、複数の押しボタンで構成される操作手段を省略することができるので、デジタル型保護制御装置の表示出力装置の小型化を図ることができる。
【００１３】
また、この発明によれば、デジタル型保護制御装置の内部の情報を格納する装置内情報と、１個の接触操作部と複数の認識パターンを有し接触操作部による操作と認識パターンを照合する操作手段と、操作手段の照合に基づいて装置内情報の画面情報を選択する画面情報選択手段と、画面情報選択手段によって選択された画面情報を表示出力する表示手段を備えることにより、複数の押しボタンで構成される操作手段を省略することができ、デジタル型保護制御装置の表示出力装置の小型化を図ることができる。
【００１４】
また、この発明によれば、デジタル型保護制御装置の内部の情報を格納する装置内情報と、音認識手段又は操作手段と、音認識手段又は操作手段により装置内情報の画面情報を選択する画面情報選択手段と、画面情報選択手段によって選択された画面情報を表示出力する表示手段を備え、装置内情報と、画面情報選択手段と、表示手段とをデジタル型保護制御装置側に設置すると共に、音認識手段又は操作手段をデジタル型保護制御装置から分離して別置き操作部として配置し、デジタル型保護制御装置と別置き操作部とは通信手段を介して情報の送受信を行うようにしたので、デジタル型保護制御装置正面は表示手段のみとなり、デジタル型保護制御装置の小型化を可能とする。また、別置き操作部を切り離すことにより、複数のデジタル型保護制御装置で共通化することができ、操作ハードウエアを１つに集中できるのでコスト削減になる利点もある。
【００１５】
また、この発明によれば、デジタル型保護制御装置の内部の情報を記憶する装置内情報記憶部と、音認識手段又は操作手段と、音認識手段又は操作手段により装置内情報の画面情報を選択する画面情報選択手段と、画面情報選択手段によって選択された画面情報を表示出力する第２表示手段を備えた別置き操作表示部をデジタル型保護制御装置から分離して配置し、デジタル型保護制御装置と別置き操作部とは通信手段を介して情報の送受信を行うようにしたので、デジタル型保護制御装置の小型化を可能とする。また、別置き操作部を切り離すことにより、複数のデジタル型保護制御装置で共通化することができ、操作ハードウエアを１つに集中できるのでコスト削減になる利点がある。さらに、別置き表示操作部の第２表示手段で表示を可能としたことで、デジタル型保護制御装置内情報を一括して通信手段を介して取り込んだ後、デジタル型保護制御装置内情報通信を切り離して（オフラインで）でデジタル型保護制御装置内情報を表示することができ、操作利便性が向上する。
【００１６】
また、この発明によれば、デジタル型保護制御装置の内部の情報である装置内情報をデジタル型保護制御装置から通信手段を介して受信し記憶するメモリ手段と、このメモリ情報を展開して表示するＰＣ装置を備えたので、デジタル型保護制御装置側において表示部及び操作部の削減が可能となり、より小型化が図れる。また、表示部が削減できるとそのための操作手段、画面情報選択手段などのモジュールが削減でき、シンプルな構成とすることができる。さらに、各デジタル型保護制御装置共通の表示部及び操作部を共通のハードウェアで構成できるのでコスト削減になる。
【発明を実施するための最良の形態】
【００１７】
この発明の前提技術．
図１はこの発明に係るデジタル型保護制御装置の表示出力装置の前提技術を示す動作ブロック図（ａ）と機能ブロック図（ｂ）である。
【００１８】
図において、デジタル型保護制御装置の表示出力装置は、デジタル型保護制御装置の内部の情報を格納する装置内情報（メモリ）１０と、複数の押しボタン等で構成される操作手段１１と、操作手段１１に基づいて装置内情報１０の画面情報を選択する画面情報選択手段１２と、画面情報選択手段１２によって選択された画面情報を表示出力する表示手段（ＬＣＤ表示器等）１５を備えている。すなわち、デジタル型保護制御装置の表示出力装置は、例えばデジタル型保護制御装置の正面に配置され、デジタル型保護制御装置内部の各種画面情報を選択して装置正面の表示手段１５により表示するようになっている。
【００１９】
このように、上記デジタル型保護制御装置の表示出力装置は、リレー動作等に対応するＬＥＤ表示、現時点の装置への電圧、電流入力の計測値表示や、装置内動作経歴を示すイベントの表示、装置の整定値の表示など各種装置内情報を表示させる文字出力をおこなう表示手段１５と、この表示手段１５に表示させる項目を選択させる各種選択キー等の操作手段１１を備えている。そして、表示手段１５は上記内容を表示可能な大きさが必要であり、操作手段１１は上記操作可能な最低限度のキー等が配置される大きさが必要になる。最近のデジタル技術の進歩で内部Ｈ／Ｗ（ハードウエア）回路はますます小型化が可能となり、装置内情報（メモリ）１０や画面情報選択手段（ＣＰＵ）１２は小型化が可能であるが、上記操作手段１１や表示手段１５については、変電所等の作業員が操作でき、認識できる十分な大きさが必要であるために、装置全体の大きさについては、制約が生じてしまう。
【００２０】
上記特許文献１の図９のようにＬＣＤ表示と少ない押しボタンでの操作が可能なように構成される場合もあるが、小型化に対しては限界が生じる。本願発明は、表示手段と操作手段の大きさに制約を受けないデジタル型保護制御装置の表示出力装置を提供することを目的とする。
【００２１】
実施の形態１．
図２はこの発明の実施の形態１に係るデジタル型保護制御装置の表示出力装置を示す動作ブロック図（ａ）と機能ブロック図（ｂ）である。
【００２２】
図において、本実施の形態のデジタル型保護制御装置の表示出力装置は、デジタル型保護制御装置の内部の情報を格納する装置内情報（メモリ）１０と、音入力部と複数の音認識パターンを有し音入力部の入力音と上記音認識パターンを照合する音認識手段２０と、音認識手段２０の照合に基づいて装置内情報１０の画面情報を選択する画面情報選択手段１２と、画面情報選択手段１２によって選択された画面情報を表示出力する表示手段（ＬＣＤ表示器等）１５を備えている。すなわち、本実施の形態のデジタル型保護制御装置の表示出力装置は、図１に示した複数の押しボタンで構成される操作手段１１に代えて、音認識手段２０を備えていることを特徴としている。
【００２３】
音認識手段２０は、例えば図２に示すように「認識Ａ」、「認識Ｂ」、「認識Ｃ」の３パターンの音認識パターンを備え、外部から入力される音と上記３個の音認識パターンを照合し、画面情報選択手段１２へ「認識Ａ」、「認識Ｂ」、「認識Ｃ」として出力する機能を備えている。
【００２４】
次に、実施の形態１のデジタル型保護制御装置の表示出力動作について、図３のフローチャートに基づいて説明する。
【００２５】
（１）音認識手段２０で音認識される「認識Ａ」は、表示手段１５に対する表示開始を意味する。（Ｓ１０１）
（２）画面情報選択手段１２は「認識Ａ」を検出することで、ただちに「画面情報１」を表示する。「画面情報１」が表示手段１５の１画面で表示しきれない場合には、画面が自動的にスクロールする。（Ｓ１０２）
（３）スクロールの停止及び再開始は、ここでは「認識Ａ」で制御できるようにしている。（Ｓ１０３、Ｓ１０４）
（４）表示手段１５に「画面情報２」を表示させるためには、音認識手段２０で「認識Ｂ」を認識することにより次画面の「画面情報２」へと遷移することができる。（Ｓ１０５、Ｓ１０６）ここでも、「画面情報２」が表示手段１５の１画面で表示しきれない場合には、画面が自動的にスクロールし、スクロールの停止及び再開始は、「認識Ａ」で制御できるようにしている。（Ｓ１０７、Ｓ１０８）
（５）同様に、表示手段１５に「画面情報３」、・・・「画面情報Ｎ」を表示させるためには、音認識手段２０で「認識Ｂ」を認識することにより次画面の「画面情報３」、・・・「画面情報Ｎ」へと遷移することができる。（Ｓ１０９、Ｓ１１０、Ｓ１１３、Ｓ１１４）なお、「画面情報３」、・・・「画面情報Ｎ」が表示手段１５の１画面で表示しきれない場合には、画面が自動的にスクロールし、スクロールの停止及び再開始は、「認識Ａ」で制御できるようにしている。（Ｓ１１１、Ｓ１１２、Ｓ１１５、Ｓ１１６）
（６）また、最後の「画面情報Ｎ」から音認識手段２０で「認識Ｂ」を認識することで始めの「画面情報１」へと戻る。（Ｓ１１７）
（７）画面情報表示を終了させる場合には、音認識手段２０で「認識Ｃ」を認識することにより行う。
このように操作することで、３通りの音認識パターンにより画面選択を可能とすることができる。
【００２６】
図４は音認識手段２０が備える音認識パターン（３パターン）の一例を示す図である。
（１）「認識Ａ」は、短い単発（Ｔ時間に１回）の音（音声、打刻音など）に対応している。
（２）「認識Ｂ」は、短い単発音の２回（Ｔ時間に２回）の音（音声、打刻音など）に対応している。
（３）「認識Ｃ」は、比較的長い（Ｔ時間以上の）音（音声、打刻音など）に対応している。
ここで、特徴となるのは、短い単発の音、連続した単発音、より長い音等の単一波長音を適用することにより、音認識手段２０の音認識を簡単な構成で実現した点である。なお、上記では音認識パターンを３パターンとしたが、パターンとしては、各種パターンが考えられる。
【００２７】
以上のように本実施の形態によれば、デジタル型保護制御装置の内部の情報を格納する装置内情報１０と、音入力部と複数の音認識パターンを有し音入力部の入力音と上記音認識パターンを照合する音認識手段２０と、音認識手段２０の照合に基づいて装置内情報１０の画面情報を選択する画面情報選択手段１２と、画面情報選択手段１２によって選択された画面情報を表示出力する表示手段１５を備えることにより、複数の押しボタンで構成される操作手段１１を省略することができるので、デジタル型保護制御装置の表示出力装置の小型化を図ることができる。
【００２８】
また、音認識手段２０の音認識パターンとして３パターンを備え、それぞれ、表示手段１５における画面情報表示の開始、次の画面情報への遷移、及び画面情報表示の終了を表すようにしたので、数少ない音認識パターンにより画面選択を可能とすることができる。
【００２９】
さらに、音認識手段２０の音認識パターンとして３パターンを備え、それぞれ、所定時間（Ｔ時間）内の単発音、所定時間（Ｔ時間）内の２回連続の単発音、及び所定時間（Ｔ時間）以上の音に対応するようにしたので、音認識手段２０の音認識を簡単な構成で実現できる効果がある。
【００３０】
実施の形態２．
図５はこの発明の実施の形態２に係るデジタル型保護制御装置の表示出力装置を示す動作ブロック図（ａ）と機能ブロック図（ｂ）である。
【００３１】
図において、本実施の形態のデジタル型保護制御装置の表示出力装置は、デジタル型保護制御装置の内部の情報を格納する装置内情報（メモリ）１０と、１個の押しボタンで構成される操作手段３０と、操作手段３０に基づいて装置内情報１０の画面情報を選択する画面情報選択手段１２と、画面情報選択手段１２によって選択された画面情報を表示出力する表示手段（ＬＣＤ表示器等）１５を備えている。実施の形態１では、押しボタン操作の替わりに音認識手段による音認識に基づいて画面情報の表示を制御していたが、本実施の形態２では、押しボタン１個で構成された操作手段３０を備え、この押しボタン操作を操作回数によって区別して画面情報の表示を制御することを特徴としている。
【００３２】
操作手段２０は、例えば図５に示すように「認識Ａ」、「認識Ｂ」、「認識Ｃ」の３パターンの認識パターンを備え、押しボタンの操作回数と上記３つの認識パターンを照合し、画面情報選択手段１２へ「認識Ａ」、「認識Ｂ」、「認識Ｃ」として出力する機能を備えている。なお、押しボタンの代わりにタッチパネルなどの接触操作部であっても同等の効果がある。
【００３３】
次に、実施の形態２のデジタル型保護制御装置の表示出力動作について、図６のフローチャートに基づいて説明する。
【００３４】
（１）操作手段３０で認識される「認識Ａ」は、表示手段１５に対する表示開始を意味する。（Ｓ２０１）
（２）画面情報選択手段１２は「認識Ａ」を検出することで、ただちに「画面情報１」を表示する。「画面情報１」が表示手段１５の１画面で表示しきれない場合には、画面が自動的にスクロールする。（Ｓ２０２）
（３）スクロールの停止及び再開始は、ここでは「認識Ａ」で制御できるようにしている。（Ｓ２０３、Ｓ２０４）
（４）表示手段１５に「画面情報２」を表示させるためには、操作手段３０で「認識Ｂ」を認識することにより次画面の「画面情報２」へと遷移することができる。（Ｓ２０５、Ｓ２０６）ここでも、「画面情報２」が表示手段１５の１画面で表示しきれない場合には、画面が自動的にスクロールし、スクロールの停止及び再開始は、「認識Ａ」で制御できるようにしている。（Ｓ２０７、Ｓ２０８）
（５）同様に、表示手段１５に「画面情報３」、・・・「画面情報Ｎ」を表示させるためには、操作手段３０で「認識Ｂ」を認識することにより次画面の「画面情報３」、・・・「画面情報Ｎ」へと遷移することができる。（Ｓ２０９、Ｓ２１０、Ｓ２１３、Ｓ２１４）なお、「画面情報３」、・・・「画面情報Ｎ」が表示手段１５の１画面で表示しきれない場合には、画面が自動的にスクロールし、スクロールの停止及び再開始は、「認識Ａ」で制御できるようにしている。（Ｓ２１１、Ｓ２１２、Ｓ２１５、Ｓ２１６）
（６）また、最後の「画面情報Ｎ」から操作手段３０で「認識Ｂ」を認識することで始めの「画面情報１」へと戻る。（Ｓ２１７）
（７）画面情報表示を終了させる場合には、操作手段３０で「認識Ｃ」を認識することにより行う。
このように操作することで、３通りの認識パターンにより画面選択を可能とすることができる。
【００３５】
図７は操作手段３０が備える認識パターン（３パターン）の一例を示す図である。
（１）「認識Ａ」は、短い時間内の押しボタン１回操作（Ｔ時間に１回操作）に対応している。
（２）「認識Ｂ」は、短い時間内の押しボタン２回操作（Ｔ時間に２回操作）に対応している。
（３）「認識Ｃ」は、比較的長い押しボタン操作（Ｔ時間以上の操作）に対応している。
なお、上記では認識パターンを３パターンとしたが、パターンとしては、各種パターンが考えられる。
【００３６】
以上のように本実施の形態によれば、デジタル型保護制御装置の内部の情報を格納する装置内情報１０と、１個の接触操作部と複数の認識パターンを有し接触操作部による操作と認識パターンを照合する操作手段３０と、操作手段３０の照合に基づいて装置内情報１０の画面情報を選択する画面情報選択手段１２と、画面情報選択手段１２によって選択された画面情報を表示出力する表示手段１５を備えることにより、複数の押しボタンで構成される操作手段を省略することができ、デジタル型保護制御装置の表示出力装置の小型化を図ることができる。
【００３７】
また、実施の形態１と比較して、押しボタン等の接触操作部を採用することで、従来技術の延長線上の技術（押しボタン等）で実現が可能となる。
【００３８】
また、操作手段３０の認識パターンは３パターン有り、それぞれ、表示手段１５における画面情報表示の開始、次の画面情報への遷移、及び画面情報表示の終了を表すようにしたので、数少ない認識パターンにより画面選択を可能とすることができる。
【００３９】
さらに、操作手段３０の認識パターンは３パターン有り、それぞれ、所定時間内の接触操作部の１回の操作、所定時間内の接触操作部の２回の操作、及び所定時間以上の接触操作部の操作に対応するようにしたので、操作手段３０による認識・照合を簡単な構成で実現できる効果がある。
【００４０】
実施の形態３．
デジタル型保護制御装置にアクセスする場合、特定の操作者にアクセス権をもたせるためにパスワードで保護する場合があるが、そのパスワード入力については、一般に図１に示す表示手段と操作手段によって入力していた。しかし、パスワードの性格上、文字入力のために多くの操作ボタンキーを必要としていた。実施の形態３では、デジタル型保護制御装置にアクセスする際のパスワードの入力について、表示手段と操作手段の大きさに制約を受けないようにすることを目的とする。
【００４１】
実施の形態１又は２では、複数の押しボタン数を削減することを目的として、入力音と音認識パターンを照合する音認識手段２０又は１個の接触操作部による操作と認識パターンを照合する操作手段３０を備えたが、本実施の形態では、上記実施の形態１又は２の構成を備えた上で、パスワードを２進数とし、この２進数パターンを音認識手段２０によるパスワード認識又は１個の接触操作部による操作（単一の押しボタン操作）によるパスワード認識に対応させたことを特徴とする。
【００４２】
図８は音認識手段２０又は操作手段３０が備える認識パターンの一例を示す図である。
（１）「パスワード”１”＝認識”１”」は、短い時間内の２回の音又は押しボタン等の２回操作（Ｔ１時間に２回）に対応している。
（２）「パスワード”０”＝認識”０”」は、短い時間内の１回の音又は押しボタン等の１回操作（Ｔ１時間に１回）に対応している。
なお、認識パターンとしては、Ｔ１時間内の１回、２回、Ｔ１時間以上など各種パターンを組み合わせて構成することができる。
【００４３】
以上のように本実施の形態によれば、実施の形態１の音認識手段２０又は実施の形態２の操作手段３０により、音入力部の入力音又は接触操作部による操作と、２進数パターンとを照合し、デジタル型保護制御装置へのアクセスを判断するようにしたので、パスワード入力においても複数の押しボタンで構成される操作手段を省略することができ、デジタル型保護制御装置の表示出力装置の小型化を図ることができる。
【００４４】
実施の形態４．
図９はこの発明の実施の形態４に係るデジタル型保護制御装置の表示出力装置を示す機能及び動作ブロック図である。
【００４５】
本実施の形態のデジタル型保護制御装置の表示出力装置は、デジタル型保護制御装置の内部の情報を格納する装置内情報（メモリ）１０と、音入力部と複数の音認識パターンを有し音入力部の入力音と上記音認識パターンを照合する音認識手段２０又は１個の接触操作部と複数の認識パターンを有し上記接触操作部による操作と上記認識パターンを照合する操作手段３０と、音認識手段２０又は操作手段３０の照合に基づいて装置内情報１０の画面情報を選択する画面情報選択手段１２と、画面情報選択手段１２によって選択された画面情報を表示出力する表示手段（ＬＣＤ表示器等）１５を備える。そして、装置内情報１０と、画面情報選択手段１２と、表示手段１５をデジタル型保護制御装置側に設置すると共に、音認識手段２０又は操作手段３０をデジタル型保護制御装置から分離して別置き操作部６０として配置し、デジタル型保護制御装置側と別置き操作部６０とを通信手段５０Ａ及び５０Ｂを介して通信する。
【００４６】
すなわち、音認識手段２０又は操作手段３０をデジタル型保護制御装置から切り離すことでデジタル型保護制御装置正面の音認識手段２０又は操作手段３０を削除することを特徴とする。なお、操作手段３０として、従来の複数の押しボタン等で構成されるものであっても良い。
【００４７】
以上のように本実施の形態によれば、デジタル型保護制御装置の内部の情報を格納する装置内情報１０と、音認識手段２０又は操作手段３０と、音認識手段２０又は操作手段３０により装置内情報の画面情報を選択する画面情報選択手段１２と、画面情報選択手段１２によって選択された画面情報を表示出力する表示手段１５を備え、装置内情報１０と、画面情報選択手段１２と、表示手段１５とをデジタル型保護制御装置側に設置すると共に、音認識手段２０又は操作手段３０をデジタル型保護制御装置から分離して別置き操作部６０として配置し、デジタル型保護制御装置と別置き操作部６０とは通信手段を介して情報の送受信を行うようにしたので、デジタル型保護制御装置正面は表示手段１５のみとなり、デジタル型保護制御装置の小型化を可能とする。また、別置き操作部６０を切り離すことにより、複数のデジタル型保護制御装置で共通化することができ、操作ハードウエアを１つに集中できるのでコスト削減になる利点もある。
【００４８】
実施の形態５．
図１０はこの発明の実施の形態５に係るデジタル型保護制御装置の表示出力装置を示す動作ブロック図である。
【００４９】
本実施の形態のデジタル型保護制御装置の表示出力装置は、デジタル型保護制御装置の内部の情報を記憶する装置内情報記憶部８０と、音入力部と複数の音認識パターンを有し音入力部の入力音と上記音認識パターンを照合する音認識手段２０又は１個の接触操作部と複数の認識パターンを有し上記接触操作部による操作と上記認識パターンを照合する操作手段３０と、音認識手段２０又は操作手段３０の照合に基づいて装置内情報１０の画面情報を選択する画面情報選択手段８２と、画面情報選択手段８２によって選択された画面情報を表示出力する第２表示手段（ＬＣＤ表示器等）８５を備えた別置き操作表示部７０をデジタル型保護制御装置側から分離して配置し、デジタル型保護制御装置と別置き操作部７０とは通信手段５０Ａ及び５０Ｂを介して情報の送受信を行うことを特徴とする。
【００５０】
すなわち、本実施の形態では、装置内情報記憶部８０、音認識手段２０又は操作手段３０、画面情報選択手段８２、第２表示手段８５を備えた別置き表示操作部７０によりデジタル型保護制御装置と通信しながら各種情報を取り込んで表示させることができることを特徴とする。なお、操作手段３０として、従来の複数の押しボタン等で構成されるものであっても良い。
【００５１】
以上のように本実施の形態によれば、デジタル型保護制御装置の内部の情報を記憶する装置内情報記憶部８０と、音認識手段２０又は操作手段３０と、音認識手段２０又は操作手段３０により装置内情報の画面情報を選択する画面情報選択手段８２と、画面情報選択手段８２によって選択された画面情報を表示出力する第２表示手段８５を備えた別置き操作表示部７０をデジタル型保護制御装置から分離して配置し、デジタル型保護制御装置と別置き操作部７０とは通信手段を介して情報の送受信を行うようにしたので、デジタル型保護制御装置の小型化を可能とする。また、別置き操作部７０を切り離すことにより、複数のデジタル型保護制御装置で共通化することができ、操作ハードウエアを１つに集中できるのでコスト削減になる利点がある。さらに、別置き表示操作部７０の第２表示手段８５で表示を可能としたことで、デジタル型保護制御装置内情報を一括して通信手段を介して取り込んだ後、デジタル型保護制御装置内情報通信を切り離して（オフラインで）でデジタル型保護制御装置内情報を表示することができ、操作利便性が向上する。
【００５２】
実施の形態６．
図１１はこの発明の実施の形態６に係るデジタル型保護制御装置の表示出力装置を示す動作ブロック図である。
【００５３】
上記実施の形態５では、別置き表示操作部７０により一括データ読み取り後、オフラインでそのデータの表示を可能とした。しかし、デジタル型保護制御装置の装置内情報の取り込みに際して操作者のレベル分けをして、当該レベルに応じて特定の人に装置内情報へのアクセス権を与える必要がある場合がある。本実施の形態では、図１１に示すように、別置き操作表示部７０に操作者コードを入力する操作者コード入力部９０を備え、デジタル保護制御装置側と別置き操作表示部７０との通信の始めに、操作者コードをデジタル保護制御装置側ヘ送信することで、デジタル保護制御装置側はそのデータをもとに操作者認識手段９５を介して、そのコードレベルに応じて送信できる情報を制限して装置内情報を送信する。
【００５４】
本実施の形態によれば、別置き操作表示部７０の操作において、パスワードに相当する情報管理が可能となるメリツトがある。
【００５５】
実施の形態７．
図１２はこの発明の実施の形態７に係るデジタル型保護制御装置の表示出力装置を示す動作ブロック図である。
【００５６】
上記実施の形態４では、表示手段１５をデジタル型保護制御装置側に設置すると共に、音認識手段２０又は操作手段３０をデジタル型保護制御装置から分離して別置き操作部６０として配置したが、本実施の形態では、表示手段及び操作手段共にデジタル型保護制御装置側から削除し、装置内情報１０を通信手段５１Ａを介して、別置きの通信手段５１Ｂを有するメモリ手段（ＩＣメモリ等）１００に一括送信して、ＰＣ（パソコン）装置１１０上でメモリ情報を展開して表示することを特徴とする。
【００５７】
本実施の形態によれば、デジタル型保護制御装置の内部の情報である装置内情報をデジタル型保護制御装置から通信手段を介して受信し記憶するメモリ手段１００と、このメモリ情報を展開して表示するＰＣ装置１１０を備えたのでデジタル型保護制御装置側において表示部及び操作部の削減が可能となり、より小型化が図れる。また、表示部が削減できるとそのための操作手段、画面情報選択手段などのモジュールが削減でき、シンプルな構成とすることができる。さらに、各デジタル型保護制御装置共通の表示部及び操作部を共通のハードウェアで構成できるのでコスト削減になる。
【図面の簡単な説明】
【００５８】
【図１】この発明に係るデジタル型保護制御装置の表示出力装置の前提技術を示す動作ブロック図（ａ）と機能ブロック図（ｂ）である。
【図２】この発明の実施の形態１に係るデジタル型保護制御装置の表示出力装置の前提技術を示す動作ブロック図（ａ）と機能ブロック図（ｂ）である。
【図３】この発明の実施の形態１のデジタル型保護制御装置の表示出力動作を示すフローチャートである。
【図４】この発明の実施の形態１の音認識手段が備える音認識パターン（３パターン）の一例を示す図である。
【図５】この発明の実施の形態２に係るデジタル型保護制御装置の表示出力装置を示す動作ブロック図（ａ）と機能ブロック図（ｂ）である。
【図６】この発明の実施の形態２のデジタル型保護制御装置の表示出力動作を示すフローチャートである。
【図７】この発明の実施の形態２の操作手段が備える認識パターン（３パターン）の一例を示す図である。
【図８】この発明の実施の形態３による認識パターンの一例を示す図である。
【図９】この発明の実施の形態４に係るデジタル型保護制御装置の表示出力装置を示す機能動作ブロック図である。
【図１０】この発明の実施の形態５に係るデジタル型保護制御装置の表示出力装置を示す機能動作ブロック図である。
【図１１】この発明の実施の形態６に係るデジタル型保護制御装置の表示出力装置を示す動作ブロック図である。
【図１２】この発明の実施の形態６に係るデジタル型保護制御装置の表示出力装置を示す動作ブロック図である。
【符号の説明】
【００５９】
１０  装置内情報、１２  画面情報選択手段、１５  表示手段、２０  音認識手段、
３０  操作手段、５０Ａ，５０Ｂ，５１Ａ，５１Ｂ  通信手段、６０  別置き操作部、
７０  別置き操作表示部、８０  装置内情報記憶部、８２  画面情報選択手段、
８５  第２表示手段、９０  操作者コード入力部、９５  操作者認識手段、
１００  メモリ手段、１１０  ＰＣ（パソコン）装置。
【図１】
2007014113.tif 000003
【図２】
2007014113.tif 000004
【図３】
2007014113.tif 000005
【図４】
2007014113.tif 000006
【図５】
2007014113.tif 000007
【図６】
2007014113.tif 000008
【図７】
2007014113.tif 000009
【図８】
2007014113.tif 000010
【図９】
2007014113.tif 000011
【図１０】
2007014113.tif 000012
【図１１】
2007014113.tif 000013
【図１２】
2007014113.tif 000014